Podtech/llm-jp-corpus-v4-ja_patent huggingface dataset:
(57)【要約】【課題】夜間歩行中や走行中の人の安全を得る。【解決手段】スカーフ等の布に線状のエレクトロルミネッセンスを装着したものにインバータで、電圧を印加することにより点灯、又は点滅する。これを、歩行者や走行者が装着することで、夜間の交通事故から回避できる。【選択図】  図２
2005068563.tif 000002
【特許請求の範囲】
【請求項１】
自己発光する線材を取りつけた布
【請求項２】
自己発光する線材を織込んだ布
【請求項３】
直径２．０ｍｍから０．１ｍｍの自己発光する線材を取りつけた布
【請求項４】
直径２．０ｍｍから０．１ｍｍのエレクトロルミネッセンス線材を取りつけた布
【請求項５】
直径２．０ｍｍから０．１ｍｍのエレクトロルミネッセンス線材を取りつけたスカーフ
【請求項６】
直径２．０ｍｍから０．１ｍｍのエレクトロルミネッセンス線材を取りつけたスカーフおよびスカーフと一体化した電源を有する電源収納容器
【請求項７】
直径０．１ｍｍから０．０１ｍｍの自己発光する線材を織込んだ布
【請求項８】
直径０．１ｍｍから０．０１ｍｍのエレクトロルミネッセンス線材を織込んだ布
【請求項９】
直径０．１ｍｍから０．０１ｍｍのエレクトロルミネッセンス線材を織込んだスカーフ
【請求項１０】
直径０．１ｍｍから０．０１ｍｍのエレクトロルミネッセンス線材を織込んだスカーフおよびスカーフと一体化した電源を有する電源収納容器
【発明の詳細な説明】
【０００１】
【発明の属する技術分野】本発明は夜間に歩行、走行する人のための安全および危険防止用身具に関するものである。
【従来の技術】
【０００２】従来、夜間に歩行、走行する際の安全を図るため、着衣等に蛍光塗料を塗装したり、蛍光繊維を使用した着衣を身に着けることが行なわれている。
【０００３】一方、警察官や路上作業者等が夜間の安全着衣として、反射帯を貼り付けたものや面発光するエレクトロルミネセンス（以下、ＥＬと呼ぶ）平板を装着した着衣がある。
【０００４】
【特許文献１】特開２００１−１２３３０４（Ｐ２００１−１２３３０４Ａ）
【特許文献２】特開平１０−２９２２５７
【特許文献３】特開２００２−３４８７１１（Ｐ２００２−３４８７１１Ａ）
【特許文献４】特開平７−１２１１３０
【０００５】
【発明が解決しようとする課題】しかしながら、従来の技術である蛍光塗料や蛍光繊維は、材質の特性上、効果の減衰が早く、反射材として使用する期間に限界があるとともに、自らが発光しないため、他からの投光がなければ、効果が少ないという欠点がある。
【０００６】また、同様に、路上作業者等が使用する安全衣の反射帯は、自らが発光しないため、他からの投光がなければ、効果が少ないという欠点がある。
【０００７】また、面発光するＥＬ平板が装着された安全着衣においては、ＥＬの自己発光により、外部照明のない場合での安全性は向上したものの、衣類等のフレキシブル性が求められる用途に使用すると、ＥＬが点灯しなくなるという欠点があり、実用化に難点があり、曲げのない限られた個所にしか使用できないものであった。
【０００８】
【課題を解決するための手段】上記課題を解決するために、本発明では、ＥＬ線材をスカーフ等の布に固定した物およびＥＬ線材を織込んだ布を作った。これを夜間に身に着けることにより、ＥＬ線材を取りつけた布およびＥＬ線材を織込んだ布から発する光の点灯または点滅によって、自動車などから歩行者や走行者等の存在を明らかにすることができるため、歩行者を交通事故から回避することができる。
【０００９】
【発明の実施の形態】次に、本発明による夜間発光安全防身具の実施の形態について説明する。
図１はＥＬ線材の構造と布の構成を示す。ＥＬ線材は図１に示すように、芯材２が銅、銀やタングステン等の組成を持ち、発光層３が芯電極２の上に形成され、発光層３の上に形成された透明電極４、透明電極４の上に形成された最外層被膜５が形成され、発光層３と透明電極４の間に形成された付加電極６によって構成されている。
【００１０】
【実施例１】
図２に示す様に、スカーフ１の表面に、ＥＬ線材８を装着し、インバータ９により、ＥＬ線材８を点灯または、点滅させる。インバータ収納リング１０は、インバータ９を収納すると同時に、ファッション的なワンポイントアクセサリにもなる。ＥＬ線材は２．０ｍｍ以上太くなると、布に取りつけたときに柔軟性が劣ってくるため、ＥＬ線材は２．０ｍｍ以下を用いる。また、０．１ｍｍ以下になると輝度が落ちるため、単線では夜間１００ｍ以上の遠方から見にくくなる。ＥＬ線材の色としては青緑が特に輝度が高く
遠方から確認し易い。
【００１１】
【実施例２】
図３に示す様に、スカーフ１の端面に、ＥＬ線材８を装着し、インバータ９により、（実施例１）と同様に、ＥＬ線材８を点灯または、点滅させる。
【００１２】
【実施例３】
図４に示す様に、スカーフ１の表面に、ＥＬ線材８を複数回ターンさせて、装着し、インバータ９により、（実施例１）と同様に、ＥＬ線材８を点灯または、点滅させる。
【００１３】
【実施例４】
図５に示す様に、四角のスカーフ１のふち沿いにＥＬ線材８を編みこみ、または、装着して、インバータ９により、（実施例１）と同様に、ＥＬ線材８を点灯または、点滅させる。
【００１４】
【実施例５】
図６に示すようにＥＬ線材とともにスカーフに反射材やスパンコール１１などを装飾として取りつけた例である。
【００１５】
【実施例６】
図７に示すように極細いＥＬ線材を織込んだ布をである。ＥＬ線材は布に織込むために直径０．１ｍｍ以上になると、織込みが難しくなる。また、ＥＬ線材が直径０．０１ｍｍ以下になると伸線加工が難しくなり、ＥＬ線材の製造ができなくなる。ＥＬ線材は０．１ｍｍ以下になると輝度が落ちるため、布に織込んで面発行させるが、従来の面発行ＥＬ平板と違い、柔軟性があり、夜間１００ｍ以上はなれたところからでも光を確認できる。
【００１６】
【発明の効果】以上の実施例から、本発明の夜間発光安全防身具を夜間、歩行者または、走行者が身体に装着し、点灯または点滅させることで、存在を他に明確に告知することができるので、交通弱者の安全を確保できる。
【図面の簡単な説明】
【図１】本発明の構成とＥＬ線材の構造を示す断面図である。
【図２】本発明の実施例を示す構成図である。
【図３】本発明の実施例を示す平面図である。
【図４】本発明の実施例を示す平面図である。
【図５】本発明の実施例を示す平面図である。
【図６】本発明の実施例を示す構成図である。
【図７】本発明の実施例を示す平面図である。ＥＬ線材のみの場合とＥＬ線材と絹などの繊維との混合の場合がある。
【符号の説明】
１    スカーフ等の布
２    ＥＬ線材の芯電極
３    ＥＬ線材の発光層
４    ＥＬ線材の透明電極
５    ＥＬ線材の被膜
６    ＥＬ線材の付加電極
８    ＥＬ線材
９    インバータ
１０  インバータ収納リング
１１  スパンコール
【図１】
2005068563.tif 000003
【図２】
2005068563.tif 000004
【図３】
2005068563.tif 000005
【図４】
2005068563.tif 000006
【図５】
2005068563.tif 000007
【図６】
2005068563.tif 000008
【図７】
2005068563.tif 000009
(57)【要約】【課題】  あらゆる種類の健康および美容関連製品において、シリカブラックから放射される生育光線を有効に利用することにより、新陳代謝の促進や病気に対する治癒能力の向上、老化防止および美肌効果を顕著に発揮することができるようにした、シリカブラックを含有する健康美容用品を提供する。【解決手段】  原材料から製品に至るまでのいずれかの製造段階で、微粉末状のシリカブラックを添加混練する。【特許請求の範囲】
【請求項１】
原材料から製品に至るまでのいずれかの製造段階で、微粉末状のシリカブラックを添加混練したことを特徴とするシリカブラックを含有する健康美容用品。
【請求項２】
上記した製品が、身体洗浄用品および化粧品であることを特徴とする請求項１に記載のシリカブラックを含有する健康美容用品。
【発明の詳細な説明】
【発明の詳細な説明】
【技術分野】
【０００１】  本発明は、化粧石鹸、シャンプー、リンスのような身体洗浄用品や、化粧水、乳液、クリー厶のような化粧品等で代表される、人の健康や美容に関連する生活用品（本発明では、これらの各種製品を健康美容用品と総称する）に係るものであり、さらに詳しくは、シリカブラックを添加して遠赤外線を放射させることにより、健康増進および美肌効果を顕著に発揮可能としたシリカブラックを含有する健康美容用品に関するものである。
【背景技術】
【０００２】  従来、遠赤外線を放射するセラミック粉体を、有機性または無機性複合粉体に結合させ、そのセラミック結合粉体を配合するようにした化粧料が提案されている（例えば、特許文献１参照。）。また酢によって殺菌作用を付与するとともに、乾留焼結微粉炭から放射される遠赤外線によって洗浄作用を向上するようにした化粧石鹸もある（例えば、特許文献２参照。）。【０００３】
【特許文献１】          特開平８−２６９６３号公報（第２−３頁）
【特許文献２】          特開２００１−１５２１９４号公報（第２−３頁）
【発明が解決しようとする課題】
【０００４】  上記した両特許文献で使用されるセラミック粉体や乾留焼結微粉炭は、シリカブラックから放射される生育光線（波長４ミクロン〜１４ミクロンで、一般的な遠赤外線よりも特に有効な遠赤外線を放射する光線）を利用するものではないので、シリカブラックを含有させた場合に比較して、目的の達成度が低いという欠点があった。
【０００５】  また、上記した特許文献１の場合は、化粧料のみに対して特定の遠赤外線放射材（セラミック粉体）を添加するものであり、特許文献２の場合は、化粧石鹸のみに対して別の遠赤外線放射材（乾留焼結微粉炭）を添加するものであって、１種類の遠赤外線放射材で、化粧料と化粧品の両方に対応することができないという問題点があった。
【０００６】  そこで本発明は、あらゆる種類の健康および美容関連製品において、シリカブラックから放射される生育光線を有効に利用することにより、新陳代謝の促進や病気に対する治癒能力の向上、老化防止および美肌効果を顕著に発揮することができるようにした、シリカブラックを含有する健康美容用品の提供を目的とするものである。
【課題を解決するための手段】
【０００７】  上記の目的を達成するために本発明は、原材料から製品に至るまでのいずれかの製造段階で、微粉末状のシリカブラックを添加混練するものであって、その添加対象となる製品が、身体洗浄用品および化粧品であることを特徴とするものである。
【発明を実施するための最良の形態】
【０００８】  以下に、本発明の実施形態の一例を具体的に説明するが、本発明に成る健康美容用品としては、主として身体洗浄用品や化粧品などが該当するものである。すなわち、身体洗浄用品としては、固形状化粧石鹸、液体ハンドソープ、ボデイシャンプー、洗髪用シャンプー、リンス、洗顔水などの洗顔料、入浴剤などがあげられ、また化粧品としては、化粧水、乳液、ローション、クリーム、パック剤、ファンデーション、口紅、おしろい、ヘアトニックなどの養毛剤（育毛剤）、ヘアクリームなどを挙げることができる。【０００９】  さらに本発明は、例えば化粧水や洗顔水のような液状製品、乳液やクリームなどのようなゲル状またはゼリー状を呈する半固形状製品、固形石鹸などのような固形状製品というように、あらゆる形態の製品に対して、シリカブラックを含有させるようにしたものである。【００１０】  また本発明で使用されるシリカブラックは、別名をブラックシリカ、グラファイトシリカ、神明岩などと称されるもので、海底に珪藻類が堆積し、地表に隆起したと推定される天然岩石である。このような天然岩石のシリカブラックは、上記したセラミック粉体や乾留焼結微粉炭等と同様に、遠赤外線を放射するものであるが、このシリカブラックと他の遠赤外線放射材との大きな相違は、シリカブラックが波長４ミクロン〜１４ミクロンの生育光線を放射する点にある。すなわちこの生育光線は、人の血液や細胞を活性化させて新陳代謝を促進させたり、発汗作用や痛みの緩和、糖尿病やガンなどのような病気に対する治癒能力の向上、精神の安定などに非常に良好な影響を及ぼすとともに、皮膚の老化防止効果や美肌効果が顕著に発現する特性を有しているのである。【００１１】  本発明は、上記のようなシリカブラックを、例えば粒度２０００メッシュの微粉末状に粉砕し、身体洗浄用品や化粧品などの含有対象製品の製造時に、所定の配合割合で定法に従って混練するようにするものである。この場合における対象製品は、原材料→各種製造工程→製品→容器包装という順序で製造されるのが一般的であるが、シリカブラック微粉末を投入するタイミングは、原材料段階および製品段階を含むいずれかの製造段階において、最も混練し易い段階を選択するものとする。【００１２】  上述したように、本発明では原材料段階および製品段階を含むいずれかの製造段階で、シリカブラック微粉末を添加混練するようになっているが、すでに製造を完了した製品であっても、例えば化粧水のような製品においては、後からシリカブラックの添加処理が可能であり、またシリカブラックの含有対象は、上記に列挙した身体洗浄用品や化粧品に限定されるものではない。
【発明の効果】
【００１３】  本発明のシリカブラックを含有する健康美容用品を毎日使用するようにすれば、遠赤外線の中でも特に有効な生育光線の働きによって、人の血液や細胞を活性化させて新陳代謝を促進し、発汗作用や痛みの緩和、病気に対する治癒能力の向上、精神の安定などに大きく影響を及ぼし、健康の増進に貢献することができるとともに、皮膚細胞を活性化させ老化防止をもたらしたり、皮膚に張りと潤いを与えて、美肌の実現と維持に貢献することができるという極めて有益な効果を奏するものである。また本発明においては、あらゆる形態のあらゆる健康美容用品に対応することができるという大きな長所を有するばかりでなく、製品の製造時に、シリカブラックのみを単独で添加するようになっているので、健康増進および美肌の実現のための付加コストを、最小限に押えることができるという多大な利点がある。
(57)【要約】［課題］ガラス窓破りの盗難防止に、ガラス窓の内側にＬ型スチールをブラインドーようにし、Ｌ型一本一本にロックされるようにし、盗難、セクハラ、殺人等の予防ぬと発明した。［解決手段］サッシ窓の内側にアルミ、ステンレスのＬ型鋼材を５−７センチの間隔でブラインドーのように吊るす。５−７センチの間隔であれば室内から見た違和感もそう感じないし、進入者も簡単に入れない。ガラス窓破りの盗難防止に利用する装置として構成されたものである。【選択図】図２
2005068965.tif 000002
【特許請求の範囲】
【請求項１】
本発明は、サッシ窓にＬ型のアルミ鋼、ステンレス鋼をブラインドのように上から下に降ろす方式です。
サッシ窓の内側に付ける。ただし通常のブラインド  のように、間隔は狭くはなく５−７センチ間隔にし、Ｌ型アルミ、ステンレスの左右にガイドレールを取り付け、ガイドレールの内側に一本一本に鍵が掛かるようにした。鍵を解除するときには解除板を押す事により左右に鍵は解除されＬ型のアルミ鋼、ステンレス鋼のブラインドは上に上がります。
本発明の傘型防犯鍵ブラインド  は、窓からの進入者が室内に入るにも、又、壊して入るにも相当の時間を要し、外部からの不法進入者も諦めるはずです。
Ｌ型にしたのも切断が簡単にできない様にした。
傘型防犯鍵を上下に固定してるものはステンレスワイヤーを使用してある。
【発明の詳細な説明】
【技術分野】
【０００１】ガラス窓焼き切り進入者、及び盗難防止に利用される。
【背景技術】
【０００２】従来、ガラス、サッシ窓よりの盗難事件はありましたが最近のようにガラス窓をガスで焼きサッシ窓の鍵を簡単に開け、音もなく室内に入り込み、盗み、セクハラ、殺人等等が多発してるのが現状です。
【発明の開示】
【発明が解決しようとする課題】
【０００４】本発明は、サッシ窓よりの外部進入者を防止する発明である。
サッシ窓の内側に傘型防犯鍵ブラインド  を取り付ける事によりサッシ窓よりの進入が因難になる。又、Ｌ型スチールを使用してますので違和感がない。
【課題を解決するための手段】
【０００５】サッシ窓の内側に、Ｌ型のスチール材を窓枠の上より均等にワイヤーで吊るす、巻き上げるときは、Ｌ型スチールの左右のロックを解除することによりＬ型スチールは窓の上にあがる。Ｌ型スチールの左右には金属のピンが個々に入り、Ｌ型スチールを固定出来る。固定することにより盗難防止が出来る。Ｌ型スチールを固定から解除するには解除板を押すことにより解除できる。
【発明の効果】
【０００６】サッシ窓ガラスを破損させ、室内に無断進入者が簡単に入れなくなる。Ｌ型スチールですので切断しにくい。
【発明実施するための最良の形態】
【０００７】図１以降について本発明の詳細を説明する。
図１はサッシ窓枠の外観を示す図である。図２は断面図である。断面図には各部品及び部分に符号１−１０で説明した。図３Ｌ型サッシの組み図です。図４はロック板の断面図です。図５はロック解除板の断面図です。図１のサッシ窓に符号１−１０の部材を組み合わせる。部材を組み合わせることにより盗難防止用ブラインド  にとなる。Ｌ型スチールを上から降ろしロック解除板を引くとＬ型スチール固定される。解除するときはロック解除板を押す事により解除できる。
【実施】
【０００８】本発明は、ガラス窓破りの盗難防止を、目的に発明したももである。傘型防犯鍵ブラインド  をガラス窓の内側に取り付けＬ型スチールを下まで降ろし、ロックすることにより簡単に切断も出来ず、進入できない。Ｌ型スチールを使用してますので、鉄ノコギリ、鉄鋏等で切断するにも大変な時間がかかる。符号２、３のワイヤーを切断しても一本一本のＬ型スチールにはロックピンが入ってますので心配は要りません。
開閉も解除板を上下にスライドするのみです。
【産業上の利用可能性】
【０００９】本発明は、近年急増してますガラス窓破りの盗難防止に利用できると思います。
【図面の簡単な説明】
【００１０】
【図１】    サッシ窓全体図
【図２】    断面図
【図３】    Ｌ型サッシ組断面図
【図４】    ロック板断面図
【図５】    ロック解除板断面図
【符号の説明】
【００１１】              １    Ｌ型スチール
２    巻き取りワイヤー
３    吊りワイヤー
４    内側支柱
５    外側支柱
６    巻き取りゼンマイバネ
７    ロック板
８    押しバネ
９    ロック解除板
１０    Ｌ型ガイド
１１    巻き取りワイヤー
１２    Ｌ型スチール
１３    吊りワイヤー
【図１】
2005068965.tif 000003
【図２】
2005068965.tif 000004
【図３】
2005068965.tif 000005
【図４】
2005068965.tif 000006
【図５】
2005068965.tif 000007
(57)【要約】【課題】コンクリート構造物の劣化対策工事での改質剤塗布工法は、一般的に高圧水洗浄でおこなっているため、劣化の原因である塩化イオン、二酸化炭素等の有害物が残留し、コンクリート改質剤を塗布しても有害残留物を閉じ込めてしまうという問題点があった。  その上、洗浄工法と改質剤塗布工法が別途発注であるため時間が経過するとまた有害物が生じ、さらに二重発注による非効率のためコストアップにつながっていた。【解決手段】コンクリート劣化面を重曹ブラストにより、有害付着物を取り除き、その直後コンクリート改質剤を塗布するという同時並列作業の一元化工法により、薬剤効果を著しく向上させることにある。  また、経済性もあわせて追求できる。【選択図】図１
2005068968.tif 000002
【特許請求の範囲】
【請求項１】
コンクリート構造物劣化防止対策工法の一環として劣化面を重曹で洗浄処理し、その直後コンクリート改質剤の塗布処置が平行して施工することを特徴とする、コンクリート劣化対策工法。
【発明の詳細な説明】
【技術分野】
【０００１】  本発明は、コンクリート構造物劣化防止対策の一つで、改質剤塗布の前段の下地処理直後、改質剤を塗布する工法に関するものである。
【背景技術】
【０００２】  コンクリート構造物の劣化として、煙害・排気ガスによる中性化、凍結融解によるもの等が原因でコンクリートの剥離が社会問題になっている。  現在劣化対策補修工事の一つとして、コンクリート改質剤塗布工法があるが、その実施工程の最初に対象構造物の劣化箇所を高圧水洗浄処理しているのが一般的である。【特許文献１】特開２０００−３４３４３４号公報
【発明の開示】
【発明が解決しようとする課題】
【０００３】  一般的に行われている高圧水洗浄では劣化の原因となっている塩化イオンや二酸化炭素等の有害物の残留が問題となっており、この高圧水洗浄のみでコンクリート改質剤を塗布すると有害残留物を閉じ込めてしまうという課題があった。
【課題を解決するための手段】
【０００４】
2005068968.tif 000003
ルカリなのでコンクリート改質剤との悪反応がないこと等である。  本発明の工法は、この重曹ブラスト洗浄処理により残留有害物を取り除いた直後に、コンクリート改質剤を塗布する同時並行作業の一元化工法により、コンクリート構造物を改質し、劣化防止の効果をより大きなものにする。
【発明の効果】
【０００５】  本発明の効果は、コンクリート構造物の劣化面を重曹ブラストにより洗浄処理した後、時間が経過すれば再度塩化イオンや二酸化炭素が付着し、改質剤の効果が著しく減退している現状を改善でき、また二次的効果として、重曹を使用するため洗浄作業時における人体への悪影響が少なく、さらに洗浄と塗布が平行施工できることにより大幅なコスト削減が期待できる。
【発明を実施するための最良の形態】
【０００６】  劣化面をコンプレッサーからのエアーで重曹をブラストして処理した後、直ちにコンクリート改質剤を同一コンプレッサーのエアーを使用して塗布することを実現した。
【実施例１】
【０００７】  本発明のコンクリート構造物劣化面の下地処理および改質剤の塗布工法は、図１に示されるように同一車両にある一台のコンプレッサーにより、重曹ブラスト装置とコンクリート改質剤塗布装置が平行して作業できるように設置し、移動施工できるようにしたものである。【０００８】  １のコンプレッサーから２のパイプを通して送られた空気により４の重曹ブラスト装置内の重曹を送り出し、コンクリート劣化面の洗浄を一工程分処理（ホースの長さによる）後、３のパイプに切り替えて５のコンクリート改質剤塗布装置から薬剤を送り出し塗布する。この作業の繰り返しを同一車両上にて実施することができる。  この事から劣化面の処置作業の効率向上、人工数の削減による大幅なコスト削減が期待できる。
【産業上の利用可能性】
【０００９】  トンネル内壁面・道路・高架橋等の高欄・分離帯または土留擁壁面など、交通規制を必要とし、多大交通量が環境や経済活動に悪影響を及ぼす部分に対して効果を発揮する。
【図面の簡単な説明】
【００１０】
【図１】本発明の実施方法を示した説明図である。（実施例１）
【符号の説明】
【００１１】１  コンプレッサー２  重曹ブラスト装置への配管３  コンクリート改質剤塗布装置への配管４  重曹ブラスト装置５  コンクリート改質剤塗布装置６  下地処理用重曹ブラスト吐出口７  コンクリート改質用薬剤噴霧吐出口８  移動施工用車両
【図１】
2005068968.tif 000004
(57)【要約】【課題】  洋式便器使用時における男子放尿時の尿の飛散・跳ね、及び残尿の垂れを防止する事によって便器及び便器周りの汚れを防ぎ便器周りの衛生を保つ。【解決手段】  様式便器の便座を引き上げる力を利用して立ち上がる着脱可能な囲いを様式便器に装着し、その囲いによって尿の飛散・跳ね、及び残尿の垂れを捕捉吸着、又は便器内側へ跳ね返すことにより便器・便座及び便器周りの汚れを防止する。【選択図】図１
2005068988.tif 000002
【特許請求の範囲】
【請求項１】
洋式便器の座面相当の大きさ・形状の素材を用い、展開した時の側面断面形状が蜂の巣に似た形状となる様に複数接合された折り畳み式の囲いに男子放尿用の開口部を設け、便器本体陶器部分と便座部分との間に取り替え可能な状態で固定し、通常の男子小用時に行う便座部分を引き上げる動作のみで男子小用時に起こりうる尿の飛散・跳ねや残尿の垂れこぼしによる便器・便座やおしり洗浄ノズル、及び便器周りの床や壁の汚れを跳ね返しや吸着によって防止する事を特徴とする器具。
【発明の詳細な説明】
【技術分野】
【０００１】本発明は洋式便器使用時において、男子放尿時の尿の飛散・跳ね、及び残尿の垂れを防止し衛生器具及びトイレ室内の汚れを防止する器具に関するものである。
【背景技術】
【０００２】通常、男子は洋式便器使用で放尿する場合、便座を引き上げ便器正面に立った姿勢を取る者が多い。その際、便器の高さ・便器の形状に起因する尿の飛散・跳ねや残尿の垂れこぼしによって、便器・便座、及び便器周りの床や壁を汚すことが多く、悪臭の発生や清掃の手間が掛かり、便器周りの衛生の悪化などの問題点があった。【０００３】この様な不具合を解決する為、従来の技術としては便器の側面に小水の飛散防止カバーを施したものがある。（例えば、特許文献１参照）また、筒状態に形成された伸縮性を有するジャバラを配置しているものがある。（例えば、特許文献２参照）また、湾曲形成した扇子状遮蔽皮膜を設置したものもある。（例えば、特許文献３参照）
【特許文献１】特開２００２−２０００１０
【特許文献２】特開２０００−２３７０９５
【特許文献３】特開平１１−３０９０８５
【発明の開示】
【発明が解決しようとする課題】
【０００４】本発明は尿の飛散・跳ね及び残尿の垂れによる便器・便座やおしり洗浄便座、及び便器周りの床や壁の汚れを防止し、便器周りの衛生を保ち、悪臭の発生防止と清掃の手間を省く事を目的とする。
【課題を解決するための手段】
【０００５】本発明は、着脱可能な筒型状の囲いを便器陶器部分の上面・便座裏に固定し便座を引き上げる力を利用してその囲いを便器上面に蛇腹状に立ち上がらせる。この囲いは洋式便器の座面相当の大きさ・形状の素材を筒型連結断面形状となるように接合し、更に複数個接合する事によって上下に開いた時の側面断面形状は蜂の巣に似た形態となる。この囲いに男子放尿用の開口部を設け、この囲いの持つ筒型状内部空間によって、男子放尿時の飛散した尿・跳ね及び残尿の垂れを捕捉吸着、又は便器内側へ跳ね返す事により、便器陶器部分・便座部分、及びおしり洗浄式便座のノズル部分及び便器周りの床や壁の汚れを防ぎ，便器周りの衛生を保つ事が出来る。
【発明の効果】
【０００６】本発明の効果として通常男子小用時に行う便座部分を引き上げる動作のみで便器周りへの、尿の飛散・跳ね、及び残尿の垂れを防ぐ為、便器陶器部分・便座部分、及びおしり洗浄式便座のノズル部分の防汚・保護及び周囲の床や壁の汚れを防止する事が出来る。また、着脱可能とする事で容易に交換が可能である。その結果、便器周りの衛生を保つことが出来、悪臭の発生防止と掃除の手間を省く事が出来る。
【発明を実施するための最良の形態】
【０００７】本発明を折り畳んだ状態で、
【図２】
のとおり、ａ便器本体陶器部分とｂ可動式便座部分の間に挟み、上面は便座裏面に、下面は便器上面に着脱可能な方法にて固定する。ｂの便座を引き上げた時、上下に引かれる力により、
【図１】
【図３】
【図４】
のとおり本発明が蛇腹状に立ち上がり筒型連結断面形状の囲いが形成される。便座を下げた時には、再び
【図２】
のとおり折り畳んだ状態に戻り便器と便座の間に収納される。なお、
【図５】
は本発明の
【図４】
Ａ−Ａ′断面で本発明の前面及び奥の立ち上がり部分を示しており、囲いが変形の筒型状に形成される事を示す。
上記動作により放尿時の尿の飛散・跳ね、及び残尿の垂れを防止する事が出来る。以上、実施１例について説明したが、本発明は以下の実施態様をとる事が出来る。
【０００８】（１）本発明の構成材料として吸水性の素材を使用する事が出来る。
（２）本発明の構成材料として撥水性の素材を使用する事が出来る。
（３）本発明の構成材料として吸水性、撥水性双方の素材を混在させて使用する事が出来る。
【図面の簡単な説明】
【０００９】
【図１】本発明を装着し、便座を引き上げた洋式便器の側面図である。
【図２】本発明を装着し、便座・蓋を閉めた洋式便器の側面図である。
【図３】本発明を装着し、便座を引き上げた洋式便器の正面図である。
【図４】本発明を装着し、便座を引き上げた洋式便器の上部から見た図である。
【図５】図４のＡ−Ａ′部分の断面図である。
【符号の説明】
【００１０】  ａ  洋式便器
ｂ  便座
ｃ  蓋
ｄ  本発明による器具
【図１】
2005068988.tif 000003
【図２】
2005068988.tif 000004
【図３】
2005068988.tif 000005
【図４】
2005068988.tif 000006
【図５】
2005068988.tif 000007
(57)【要約】【課題】    浴槽の残り水は、その殆どが排水として処理されていたが、貯水槽に貯留することにより再利用できることから、水需要の軽減を図る。【解決手段】    浴槽から排出された水を水流変換器２により貯水槽５へと導き、若しくは吸水管６を介して吸水器３によって汲み上げ、濾過器４を通した後、貯水槽５に貯留する。【選択図】        図１
2005068981.tif 000002
【特許請求の範囲】
【請求項１】
浴槽（１）内の排水を水流変換器（２）若しくは吸水管（６）を用いて貯水漕（５）へ導き、濾過器（３）を介した後、吸水器（４）によって貯水槽（５）に貯留し、その水を家庭内にて効率よく再利用する方法。
【発明の詳細な説明】
【技術分野】
【０００１】  本発明は浴槽の排水を濾過器に通した後、貯水槽に貯留し、家庭内に於いて再利用し水道の給水量を軽減させることを目的とした方法である。
【背景技術】
【０００２】  浴槽内の残り水を取水ポンプにより直接洗濯槽等に取り入れ、使用分以外は排出していた。【０００３】  本発明は、排水を貯水槽に貯留した水を使用することにより、浴槽内に水が無い時にも上水道水を使用することが減少する為、給水量を軽減させるという目的に対処できる。
【発明の開示】
【発明が解決しようとする課題】
【０００４】  従来、浴槽の水を利用するとき、その都度取水ポンプ等により使用する分の水量を汲み取り、残りは排水として処理していた為、生活水準の向上、都市活動の進展等に伴い水需要が増大しているという問題がある。
【課題を解決するための手段】
【０００５】  使用する水量をいかに軽減するかという問題に対し、本発明は排水として処理する水を貯水槽に貯留し、家庭内に於いて飲料用を除く水を使用する際に再利用することにより水需要の増大に対処できる。
【発明の効果】
【０００６】  本発明は、以下に記載されるような効果を奏する。【０００７】  浴槽内から排水口を通して排出される水が水流変換器を用いることにより貯水槽に導かれ、若しくは直に吸水管により水を汲み上げる為、蓄積過剰になると排水管に切り替えることができる。【０００８】  濾過器を通すことで異物を取り除き、滅菌処理されることによりある程度の期間貯水槽に備蓄することができる。【０００９】  貯水槽に貯留することにより、トイレ、洗濯、清掃、ガーデニング等に水を使用する際に浴槽内に水がない場合にでも貯水を利用でき、使用する水量を軽減することができる。
【発明を実施するための最良の形態】
【００１０】  浴槽の排水を水流変換器により貯水槽への配管に水を導き、若しくは吸水管により直に吸水器を用いて貯水槽に汲み上げ、濾過器により異物を取り除き滅菌処理した後、貯留する。
飲料用を除いた家庭内にて使用する水に対し、必要に応じ貯水槽から送水し、排水の再利用を図る。
【実施例１】
【００１１】  図１に示される実施例では、浴槽１から排出される水を排水管に取り付けられた水流変換器により貯水槽への配管へ導き、吸水器３により水を汲み上げ、濾過器４を通した後、貯水槽５に貯留する。
【実施例２】
【００１２】  図２に示される実施例では、浴槽１の水を吸水管６から吸水器３を用いて汲み上げ、濾過器４を通した後、貯水槽５に貯留する。【００１３】  貯水された水は図３に示した、貯水槽５から各水を使用する場所の配管に送られ、貯水槽５に水がない場合以外は上水道を使用せず、排水を再利用し使用する。
【図面の簡単な説明】
【００１４】
【図１】浴槽排水の家庭内再利用の方法の縦断面図
【図２】浴槽排水の家庭内再利用の方法の縦断面図
【図３】上記方法の見下げ図
【符号の説明】
【００１５】１    浴槽
２    水流変換器
３    吸水機
４    濾過器
５    貯水槽
６    吸水管
【図１】
2005068981.tif 000003
【図２】
2005068981.tif 000004
【図３】
2005068981.tif 000005
(57)【要約】【課題】  近年生命を軽視された事件が多発しております。これらは生きている事の自覚が少ない事が起因しています。生まれるまでの経緯・死に至る生命を考えさせ、今どのような生き方をするかを訴えていかなければならない。【解決手段】  先祖・個人を尊ぶ供養をする事で「生」を再確認してもらう為に本発明は、遺骨を重んじた墓参が出来る事を元に発案した。【選択図】  図３
2005068984.tif 000002
【特許請求の範囲】
【請求項１】
納骨堂内部を見る為鏡を装置し反射を利用して納骨堂内を外部より拝観できることを特徴とした内視器具
【発明の詳細な説明】
【発明の詳細な説明】
【発明に属する技術分野】
【０００１】
【０００２】  本発明は、納骨に関するものである
【背景技術】
【０００３】  従来からの墓の立て方は故人の供養の為としていますが、どうしても外見を重視する傾向にある。
遺骨の扱いは、人の目に付かない納骨堂であり、墓に納めればそのまま年忌がこようと、家族に死者が出ても遺族が先祖のお遺骨に手を触れる事や、見てどのようになっているか確認する事もありません。その様な納骨堂の中では壺が倒れ遺骨が散乱している事もある。
【発明が解決しようとする課題】
【０００４】  遺族が墓参する行為を形通りだけでなく、故人を偲び心から供養する心を醸成する。
【課題を解決する為の手段】
【０００５】  墓参の際にお遺骨・遺品を間近に見る事の工夫により、遺骨・遺品の存在を遺族に認識していただき、人の一生・人の死を実感してもらい、生命の尊さを重視し供養する心を醸成させ慈悲の心を持つ人達を増やす為の社会作りをする。
【発明を実施するための最良の形態】
【０００６】  通常時は蓋により窓の効果はないが、参拝時に納骨堂の内部を拝観する事が出来る。
【実施例】
【０００７】  納骨堂内部は、土中の場合やコンクリート・石に覆われた堅固なものであるので納骨堂内に光が入らない。そこで鏡の反射により、又、レンズの角度を変え内部の遺骨或は遺品を照らし更には遺族が確認できるように工夫された部材。
在来の工法により作られる納骨堂は多種・多寸法で作られておるので墓にあわせた内視器具が必要であるので本発明では納骨堂内を拝観する為の簡易的器具を対象とする。
【発明の効果】
【０００８】  この発明により、納骨堂内の遺骨の場所を遺族が目視し管理でき、墓参のときに故人の成仏と子孫の繁栄を心から願う供養の出来る墓を創造し、従来のように葬る所・処理する所ではなく清らかな場所。来世に旅立つ場所として親しまれる墓となり、先祖の供養を重ね死者に対し敬う心を醸成させ、命の尊さを再認識し争いのない社会作りに貢献できる効果がある。
【図面の簡単な説明】
【図１】この発明の実施形態を示す側断面図である。
【図２】この発明の実施形態を示す平面図である。
【図３】この発明の実施形態を示す断面図である。
【図４】この発明の実施形態を示す本考案の全体実施例。
【図５】この発明の実施形態を示す本考案の一実施例。  ＊図面の寸法・形は、限定したものではない。  ＊設置場所は、納骨堂周辺とし墓の形状により設定位置と発案品内視器具の形状・寸法は異なる
【符号の説明】
▲１▼・・・内視器具
▲２▼・・・壺・遺品
▲３▼・・・納骨堂
▲４▼・・・視線
▲５▼・・・鏡
▲６▼・・・鏡角度調整具
▲７▼・・・納骨堂蓋
【図１】
2005068984.tif 000003
【図２】
2005068984.tif 000004
【図３】
2005068984.tif 000005
【図４】
2005068984.tif 000006
【図５】
2005068984.tif 000007
(57)【要約】      （修正有）【課題】  フローリングと畳が表と裏に付いて有り、どちらかを表にし、又取替え取り外しが出来ます尚部屋の半分をフローリングにし半分を畳にしたりもできます、材質や寸法、サイズや止め金具等の変更も出来るようにする。【解決手段】  両方利用できフローリング１に固定してある巾木３にマジックテープ４を取り付け、畳２の縁にマジックテープを取り付けもう片側を畳に取り付けて有り、フローリングの巾木に付いているマジックテープと畳の縁に付いているマジックテープでフローリングと畳が合体し又取り外しが出来る。【選択図】  図３
2005068985.tif 000002
【特許請求の範囲】
【請求項１】
表（１）フローリングと裏（２）畳、（１）と（２）が反対でもよいのです、巾木（３）とフローリング（１）が固定（６）マジックデープ（４）も固定しでます又畳（２）と縁（５）が固定縁とマヂックテープも固定（７，８）で取替え取り外しが出来ます。
【発明の詳細な説明】
【発明の詳細な説明】
［発明の属する技術分野］
【０００１】本発明は、従来別々な品物を合体し工事が便利になり製作してから収められますので将来に有効に成ります。
［従来の技術］
【０００２】従来の工事は現場で作業し床に垂木や材料等で日と時間がかかり大変です。
［発明が解決しようとする課題］
【０００３】従来の工事では床に畳を敷くと畳だけの部屋、フローリング同様でしたが、これを使うと畳とフローリングが両方使え製作してから現場に納められ又床に敷く材料もいらなく畳とフローリング等で便利で断熱効果も有ります。
【０００４】両方利用できフローリングに固定してある巾木にマジックテープを取り付け、畳の縁にマジックテープを取り付けもう片側を畳に取り付けて有り、フローリングの巾木に付いているマジックテープと畳の縁に付いているマジックテープでフローリングと畳が合体し又取り外しが出来るようになっております。
【０００５】従来、建物、家やマンション、ホテル等は現地で床工事、作業をしてましたが寸法測り製作してから現地で敷く事が出来又後日にフローリングを敷いて有る部屋のフローリングを裏返し畳に変える事も出来ますし両方利用出来ます。
【０００６】畳やフローリングの傷みや汚れでフローリング取替えは現地で作業してたが、これは畳のサイズだけ取替えでき又製作して現地で敷くだけでサイズも色々出来ます。
【図面の簡単な説明】
【図１】表面はフローリングで裏面は畳です。
【図２】表面は畳で裏面はフローリングです。
【図３】フローリングと畳と金具の断面図です。
【図４】巾木とマジックテープです。
【図５】縁とマジックテープです。
【図６】フローリングと巾木とマジックテープです。
【図７】畳と縁とマジックテープです。
【符号の説明】
１  フローリング
２  畳
３  巾木
４  マジックテープ
５  縁
６  固定
７  差込口
８  差込先
【図１】
2005068985.tif 000003
【図２】
2005068985.tif 000004
【図３】
2005068985.tif 000005
【図４】
2005068985.tif 000006
【図５】
2005068985.tif 000007
【図６】
2005068985.tif 000008
【図７】
2005068985.tif 000009
(57)【要約】      （修正有）【課題】ドアラッチのような内側からかけられたロックを、はずす為の道具である。【解決手段】弾力性、反発力のある、ボード（板状）を利用して、内側からかけられたドアラッチを、ドアーの外側から、ドアーを壊さずに、また、ドアラッチそのものを、折ったり切ったり曲げること無く外すことが出来るよう、工法したものである。【選択図】図１
2005068972.tif 000002
【特許請求の範囲】
【請求項１】
弾力性と、反発力をもつボード（板状）を利用して、ドアラッチをはずす。
【発明の詳細な説明】
【発明の詳細な説明】
この発明は、内側からかけられたドアラッチを、外からドアーを壊さずに、またドアラッチそのものを、折ったり切ったり曲げる事無く外すことが出来る。
【図面の簡単な説明】
2005068972.tif 000003
【図１】
2005068972.tif 000004
【図２】
2005068972.tif 000005
【図３】
2005068972.tif 000006
【図４】
2005068972.tif 000007
(57)【要約】【課題】本発明は、木造住宅建築で工事中２階への昇降に利用する仮設中間階段である。通常は、直線で出来た梯子や梯子階段を利用しているが、資材や道具を持っての昇降は、墜落の危険を伴うために、安全に昇降出来る階段を提供する。【解決手段】四角柱上部を対角線に切り、段差を設けた高さの違う２つの四角柱を連結して中間階段を構成する。【選択図】図１
2005068980.tif 000002
【特許請求の範囲】
【請求項１】
四角柱上部を対角線上に切り、段差を設けた高さの違う２つの四角柱を連結した仮設中間階段
【発明の詳細な説明】
【技術分野】
【０００１】  本発明は、木造住宅建築において建築中に２階への昇り降りを、安全に出来るようにし、しかも省スペースで階段を設置するための仮設中間階段に関するものである。
【背景技術】
【０００２】  従来の木造住宅建築工事中の２階への昇降には、梯子又は梯子階段を配置したものがある。
【発明の開示】
【発明が解決しようとする課題】
【０００３】  木造住宅建築では工事中２階への昇降には、梯子や梯子階段を使用するのが一般的である。しかしこの方法には次のような問題点があった。
梯子や梯子階段では直線で昇降するため勾配が急で、道具や材料を持って昇降するには墜落の危険が伴い不安全であり、作業性も悪い。
本発明は、以上の問題点を解決し、この仮設中間階段に下部階段、上部階段を配置することで、作業スペースの狭い住宅建築で安全に昇降出来る仮設階段を提供するものである。この仮設中間階段は、短尺と長尺の２つの四角柱からなっているので作業員１人で簡単に組み立て出来る。また、２つの四角柱の組み方を変えることで、下部階段、上部階段を現場の状況に合わせて配置できる利点がある。
【問題を解決するための手段】
【０００４】  図２の短尺仮設中間階段と図３の長尺仮設中間階段を組み合わせて４段の仮設中間階段を完成させ、短尺仮設中間階段部に１階床から階段を掛け、長尺仮設中間階段部から２階床へ階段を掛けて小さなスペースの中に安全な昇降路を提供してそれを木造住宅建築で使用するものである。
【発明の効果】
【０００５】  本発明を使用することにより、工事中、２階への階段が小さなスペースの中に簡単に取り付けられ、梯子や梯子階段に比べてより安全に作業出来、しかも作業効率を向上させることが出来る。
【発明を実施するための最良の形態】
【０００６】  以下、本発明の実態の形態を説明する。
（１）図２短尺仮設中間階段と図３長尺仮設中間階段を現場の状況に合わせて必要な場所に設置して連結し、図１のような踏面１，３，１ａ，３ａ蹴上げ２，２ａ，２ａを持った中間階段が完成する。
（２）完成した仮設中間階段に現場の状況に合わせて図１の４又は５部分に下部階段上端部フックを掛け、６又は７部分に上部階段下端部フックを掛け１階から２階への階段を配置する。
（３）図２と図３の仮設中間階段の向きを変えて連結することと、１８０度反転させることで八通りのバリエーションが出来て、下部階段、上部階段を任意の位置に設置可能である。
（４）又図６のように四角柱の天端を３つに切り、１ｂ，２ｂ，３ｂの踏面を持った階段、更に図７のように四角柱の天端を４つに切り、１ｃ，２ｃ，３ｃ，４ｃの踏面を持った階段とすることも出来る。
【図面の簡単な説明】
【０００７】
【図１】  短尺仮設中間階段と長尺仮設中間階段を連結した状態を示した斜視図である。
【図２】  短尺仮設中間階段を示した斜視図である。
【図３】  長尺仮設中間階段を示した斜視図である。
【図４】  短尺仮設中間階段を示した平面図である。
【図５】  長尺仮設中間階段を示した平面図である。
【図６】  段差が３段の場合を示した平面図である。
【図７】  段差が４段の場合を示した平面図である。
【符号の説明】
【０００８】
2005068980.tif 000003
場合の仮設中間階段、    １踏面    、２蹴上げ    、３踏面    １ａ踏面、    ２ａ蹴上げ、    ２ａ蹴上げ、    ３ａ踏面、    １ｂ踏面、    ２ｂ踏面、    ３ｂ踏面    １ｃ踏面、    ２ｃ踏面、    ３ｃ踏面、    ４ｃ踏面
【図１】
2005068980.tif 000004
【図２】
2005068980.tif 000005
【図３】
2005068980.tif 000006
【図４】
2005068980.tif 000007
【図５】
2005068980.tif 000008
【図６】
2005068980.tif 000009
【図７】
2005068980.tif 000010
(57)【要約】【課題】建築物の防水下地が硬質木片セメント板等の板状のとき防水工事が終わるまでに雨が降るとセメント板の継ぎ目から雨が漏ります【解決手段】セメント板を敷くときにセメント板の継ぎ目をシール材でシールします【選択図】なし【特許請求の範囲】
【請求項１】
防水下地の板と板との間にシール材を挟み雨等の水が漏れないようにしたことを特徴とした構造
【発明の詳細な説明】
【技術分野】
【０００１】建築防水
【背景技術】
【０００２】
【特許文献１】
【発明の開示】
【発明が解決しようとする課題】
【０００３】建築物の防水工事８（以下防水と言う）のなかで硬質木片セメント板等の板状の下地（以下セメント板という）５及び７の場合下地施工から防水施工８の間に雨が降るとセメント板の継ぎ目からの漏水で建築物は雨が漏ります
そのため他の工事は業種によっては防水の施工が終わるまで工事ができません
【課題を解決するための手段】
【０００４】セメント板５とセメント板７の間にシール材６を挟みこみます
【発明の効果】
【０００５】セメント板５とセメント板７の間に挟みこんだシール材６の効果でセメント板の継ぎ目からの漏水がなくなることにより下地のセメント板５及び７が仮の防水層の役割もして、建築物の雨漏りが無くなります
雨が漏る事が無いのでその効果で防水８の施工を待つことなく他の工事を施工することが出来ます
【発明を実施するための最良の形態】
【０００６】（図１）
建築物の屋根，ベランダ等の骨組みの根太１の上に合板３を敷き詰めます
（図２）
その上にセメント板５を張るのですが１枚目のセメント板５を敷くときに
（図１）
１枚目のセメント板とつき合わせる部分にシーリング材４をつけます
（図２）
しかるのち１枚目のセメント板５を張ります
（図３）
２枚目のセメント板７を張るのですが
（図２）
２枚目のセメント板とつき合わせる部分にシーリング材６をつけます
（図３）
しかるのち２枚目のセメント板７を張ります
以下同じようにしてセメント板を張り詰めます
最後にセメント板の継ぎ目等を検査して不良個所があればをシーリング材にてシールします
【実施例】
【０００７】
【産業上の利用可能性】
【０００８】建築工事において防水下地が仮の防水層となるので建築工事において雨による工事の遅れを少なくすることができます
【図面の簡単な説明】
【０００９】
【図１】 
【００１０】    根太の上に合板を張った状態【図２】 
【００１１】    １枚目のセメント板を張った状態【図３】 
【００１２】    セメント板を張り防水した状態
【符号の説明】
【００１３】      １  根太
２  立ち上がり
３  合板
４  シーリング材
５  セメント板
６  シーリング材
７  セメント板
８  防水層
【図１】
2005068974.tif 000002
【図２】
2005068974.tif 000003
【図３】
2005068974.tif 000004
(57)【要約】【課題】  従来の鉄筋コンクリート構造物の鉄筋に対する腐食防止策は、鉄筋に塗装するなどのものであり、経年による更新が効かないものであった。また、既存の構造物に追加することは不可能なものばかりであった。【解決手段】  コンクリート構造物の鉄筋の一部を外界に導き、土中に埋設した電食亜鉛に接合する。  コンクリート構造物の下部に穴を開け、鉄筋を露出させ、電食亜鉛につながる鉄筋を接合する。電食亜鉛を雨水の当たる地中に埋設する。  これにより、新規の構造物にはもとより、既存の構造物にも設置が可能となる。【選択図】  図１
2005068976.tif 000002
【特許請求の範囲】
【請求項１】
鉄筋コンクリート構造物の鉄筋に電食亜鉛を設置する
【発明の詳細な説明】
【発明の詳細な説明】
【技術分野】
【０００１】  本発明は、鉄筋コンクリート構造物の鉄筋に、電食亜鉛を施して鉄筋の電食を防止する物である。
【背景技術】
【０００２】  鉄筋コンクリート構造物は鉄筋をコンクリートで覆うことにより鉄筋を外界より遮断し、錆びないようにしていた。また、塗装などにより鉄筋の腐食を防止するものもあった。
【発明が解決しようとする課題】
【０００３】  島嶼地区などのコンクリート構造物は鉄筋が錆びる事によって膨張し、コンクリートがひび割れ、さらに腐食が進むという悪循環を生じる。鉄筋コンクリート構造物の耐久度が著しく損なわれる。
【課題を解決するための手段】
【０００４】  コンクリート構造物の鉄筋の一部を外界に導き、土中に埋設した亜鉛に接合する。
【発明を実施するための最良の形態】
【０００５】  既設の構造物に設置する場合、３の接合部分に穴を開け、鉄筋の一部に、溶接その他を用いて新たに鉄筋４を設置し、コンクリート構造物の外界に導く。その先端に電食亜鉛５をＵ字ボルトにて接合し、地面に埋設する。３の接合部分は雨水が浸透しないように処置する。
新規の構造物に対しては鉄筋の一部分を外界に導き、電食亜鉛を設置すればよい。
電食亜鉛を検査することによって、鉄筋コンクリート構造物内の鉄筋の腐食具合がわかり、電食亜鉛を交換することによって半永久的に鉄筋の防錆が可能となる。
【発明の効果】
【０００６】  船舶の防食に利用されている電食亜鉛を陸上構造物に利用するものである。塩害による鉄筋コンクリート構造物のメンテナンスに有利であり、電食亜鉛を交換することによって耐久性を増すことができる。日頃のメンテナンスが必要なことによって、作るだけでなく、鉄筋コンクリートの維持に貢献することができる。
2005068976.tif 000003
【手続補正書】
【提出日】平成15年11月17日(2003.11.17)
【手続補正２】
【補正対象書類名】明細書
【補正対象項目名】全文
【補正方法】変更
【補正の内容】
【発明の詳細な説明】
【技術分野】
【０００１】  本発明は、鉄筋コンクリート構造物の鉄筋に、電食亜鉛を施して鉄筋の電食を防止する物である。
【背景技術】
【０００２】  鉄筋コンクリート構造物は鉄筋をコンクリートで覆うことにより鉄筋を外界より遮断し、錆びないようにしていた。また、塗装などにより鉄筋の腐食を防止するものもあった。
【発明が解決しようとする課題】
【０００３】  島嶼地区などのコンクリート構造物は鉄筋が錆びる事によって膨張し、コンクリートがひび割れ、さらに腐食が進むという悪循環を生じる。鉄筋コンクリート構造物の耐久度が著しく損なわれる。
【課題を解決するための手段】
【０００４】  コンクリート構造物の鉄筋の一部を外界に導き、土中に埋設した亜鉛に接合する。
【発明を実施するための最良の形態】
【０００５】  既設の構造物に設置する場合、３の接合部分に穴を開け、鉄筋の一部に、溶接その他を用いて新たに鉄筋４を設置し、コンクリート構造物の外界に導く。その先端に電食亜鉛５をＵ字ボルトにて接合し、地面に埋設する。３の接合部分は雨水が浸透しないように処置する。
新規の構造物に対しては鉄筋の一部分を外界に導き、電食亜鉛を設置すればよい。
電食亜鉛を検査することによって、鉄筋コンクリート構造物内の鉄筋の腐食具合がわかり、電食亜鉛を交換することによって半永久的に鉄筋の防錆が可能となる。
【発明の効果】
【０００６】  船舶の防食に利用されている電食亜鉛を陸上構造物に利用するものである。塩害による鉄筋コンクリート構造物のメンテナンスに有利であり、電食亜鉛を交換することによって耐久性を増すことができる。日頃のメンテナンスが必要なことによって、作るだけでなく、鉄筋コンクリートの維持に貢献することができる。
【図面の簡単な説明】
【０００７】
【図１】  鉄筋コンクリート構造物下部に、鉄筋電食防止装置を接続する断面図である。
【図２】  電食亜鉛の平面図である
【手続補正３】
【補正対象書類名】図面
【補正対象項目名】全図
【補正方法】追加
【補正の内容】
【図１】
2005068976.tif 000004
【図２】
2005068976.tif 000005